(57)【要約】【課題】切りタイマ終了後も室内の空調負荷に応じて運転を行うようにすることで、省エネ性の向上と、利用者に快適な空調を提供する。【解決手段】人体付近温検出手段２と、外気温度検出手段３と、空気調和機の吸込温度を検知する吸込温度検出手段４と、目標室温を設定する温度設定手段５と、タイマ設定値に達した時に空気調和機の運転を停止する切りタイマ手段１とを備え、切タイマ動作後に人体付近の温度、屋外温度、屋内温度の状況により、空気調和機を運転もしくは停止させるようにしたものである。これによって、空調負荷が大きいときには追加で運転をおこない、利用者が不快感なく就寝でき、また空調負荷が小さいときには余分な運転をせず無駄なエネルギーの消費を防止可能となる。【選択図】図１
2005226856.tif 000002
【特許請求の範囲】
【請求項１】
人体付近の温度を検出する人体付近温検出手段と、屋外の温度を検知する外気温度検出手段と、空気調和機の吸込温度を検知する吸込温度検出手段と、空気調和機の制御目標室温を設定する温度設定手段と、運転時間をタイマ設定値と比較しタイマ設定値に達した時に空気調和機の運転を停止する切りタイマ手段とを備え、切タイマ動作終了後の運転モードとして、人体付近の温度、屋外温度、屋内温度の少なくともいずれか1つの状況により、空気調和機を運転もしくは停止させる制御手段を有することを特徴とする空気調和機。
【請求項２】
切タイマ動作終了後の運転モードは、切タイマ動作終了後室温が設定温度に達した場合、第１の所定時間空気調和機を運転することを特徴とする請求項１記載の空気調和機。
【請求項３】
切タイマ動作終了後の運転モードは、切タイマ動作終了後室温が設定温度に達した場合、第１の所定時間空気調和機を運転する動作を第１の所定回数繰り返すことを特徴とする請求項１記載の空気調和機。
【請求項４】
切タイマ動作終了後の運転モードは、設定温度を切タイマ動作前より圧縮機が停止し易い方向に所定値シフトすることを特徴とする請求項１〜３のいずれか１項記載の空気調和機。
【請求項５】
切タイマ動作終了後の運転モードは、室内ファンの風量を切タイマ動作前より小さくすることを特徴とする請求項１〜３のいずれか１項記載の空気調和機。
【請求項６】
タイマ動作終了後の運転モードは、設定温度を切タイマ動作前より圧縮機が停止し易い方向に外気温度に応じてシフトすることを特徴とする請求項１〜３のいずれか１項記載の空気調和機。
【請求項７】
切タイマ動作終了後の運転モードは、室内ファンの風量を切タイマ動作前より外気温度に応じて小さく変化させることを特徴とする請求項１〜３のいずれか１項記載の空気調和機。
【請求項８】
切タイマ動作終了後の運転モードは、切タイマ動作終了後室温が設定温度に達した場合、第１の所定時間空気調和機を運転する動作回数を外気温度に応じて行うことを特徴とする請求項１記載の空気調和機。
【請求項９】
切タイマ動作終了後の運転モードは、切タイマ動作終了後室温が設定温度に達した場合、第１の所定時間切タイマ動作前の能力で運転を行い、第２の所定時間は能力を絞った運転を行うことを特徴とする請求項１記載の空気調和機。
【請求項１０】
切タイマ動作終了後の運転モードは、切タイマ動作終了後人体付近の温度が設定温度に達した場合、第３の所定時間空気調和機を運転する請求項１記載の空気調和機。
【請求項１１】
切タイマ動作終了後の運転モードは、切タイマ動作終了後人体付近の温度が設定温度に達した場合、第３の所定時間空気調和機を運転する動作を第２の所定回数繰り返すことを特徴とする請求項１記載の空気調和機。
【請求項１２】
切タイマ動作終了後の運転モードは、切タイマ動作終了後人体付近の温度が設定温度に達した場合、第３の所定時間空気調和機を運転する動作回数を外気温度に応じて変化させることを特徴とする請求項１記載の空気調和機。
【請求項１３】
切タイマ動作終了後の運転モードは、切タイマ動作終了後人体付近の温度が設定温度に達した場合、第３の所定時間切タイマ動作前の能力で運転を行い、第４の所定時間は能力を絞った運転を行うことを特徴とする請求項１記載の空気調和機。
【発明の詳細な説明】
【技術分野】
【０００１】
本発明は切りタイマ機能を有する空気調和機の快適制御に関するものである。
【背景技術】
【０００２】
従来、この種の技術は切りタイマが終了しても一定時間強制的に運転し、その後ドライ或いは送風運転を更に一定時間継続する制御としている（例えば、特許文献１参照）。
【特許文献１】特開昭５５−１０２８５２号公報
【発明の開示】
【発明が解決しようとする課題】
【０００３】
しかしながら、前記従来の構成では切りタイマ終了後も必ず一定時間タイマ終了前の運転を継続し、更にその後、冷房或いは送風運転を一定時間実施する構成なので、室内の空調負荷が低下し空気調和機の運転が不要になったにも係わらず空気調和機が運転を継続するため、近年話題となっている省エネ性の観点において、又利用者に風を当て続けるため健康上の問題において課題を有していた。
【０００４】
本発明は、前記従来の課題を解決するもので、切りタイマ終了後も室内の空調負荷に応じて運転を行うようにすることで、省エネ性の向上と利用者に快適な空調を提供することを目的とする。
【課題を解決するための手段】
【０００５】
前記従来の課題を解決するために、本発明の空気調和機は、人体付近の温度を検出する人体付近温検出手段と、屋外の温度を検知する外気温度検出手段と、空気調和機の吸込温度を検知する吸込温度検出手段と、空気調和機の制御目標室温を設定する温度設定手段と、運転時間をタイマ設定値と比較しタイマ設定値に達した時に空気調和機の運転を停止する切りタイマ手段とを備え、切タイマ動作終了後に人体付近の温度、屋外温度、屋内温度の少なくともいずれか１つの状況により、空気調和機を運転もしくは停止させる制御手段を設けたものである。
【０００６】
これによって、空調負荷が大きいときには追加で運転をおこない、利用者が不快感なく就寝できる。また空調負荷が小さいときには余分な運転をせず、無駄なエネルギーの消費を防止可能となる。
【発明の効果】
【０００７】
本発明の空気調和器は空調負荷が大きいときには追加で運転をおこない、利用者が不快感なく就寝できる。また空調負荷が小さいときには必要最小限の運転を行うことで利用者に不快感を与えることなく、余分な運転をせず無駄なエネルギーの消費を防止できる。
【発明を実施するための最良の形態】
【０００８】
第１の発明は、人体付近の温度を検出するセンサ手段と、屋外の温度を検知する外気温度検出手段と、空気調和機の吸込温度を検知する吸込温度検出手段と、室温を設定する温度設定手段と、運転時間をタイマ設定値と比較しタイマ設定値に達した時に空気調和機の運転を停止する切りタイマ手段とを備え、切タイマ動作終了後に人体付近の温度、屋外温度、屋内温度の状況により、空気調和機を運転もしくは停止させるようにしたものである。
【０００９】
これによって、空調負荷が大きいときには追加で運転をおこない、利用者が不快感なく
就寝できる。また空調負荷が小さいときには余分な運転をせず無駄なエネルギーの消費を防止可能となる。
【００１０】
第２の発明は、切タイマ動作終了後、室温が設定温度に達した場合は第１の所定時間空気調和機を運転するようにしたものである。
【００１１】
これによって、切りタイマ終了後室温が上昇し設定温度に達した場合は、空気調和機を所定時間運転させるため利用者が不快感なく就寝できる。
【００１２】
第３の発明は、切タイマ動作終了後、室温が設定温度に達した場合は第１の所定時間空気調和機を運転し、その後空気調和機が停止した後も室温が設定温度に達した場合は再度空気調和機を運転するという動作を第１の所定回数繰り返すようにしたものである。
【００１３】
これによって、切りタイマ終了後室温が上昇し設定温度に達した場合、空気調和機を所定時間，所定回数運転させるためより快適な睡眠を提供できる。
【００１４】
第４の発明は、切タイマ動作終了後の空気調和機の運転において、設定温度を切タイマ動作前より圧縮機が停止し易い方向に所定値シフトするようにしたものである。
【００１５】
これによって、空調能力を低めに抑えることで冷やしすぎ、暖めすぎに伴うエネルギーの無駄使いや利用者の健康阻害を防止できる。
【００１６】
第５の発明は、切タイマ動作終了後の空気調和機の運転において、室内ファンの風量を切タイマ動作前より小さくするようにしたものである。
【００１７】
これによって、利用者が睡眠時において強風に当たることを防止できる。
【００１８】
第６の発明は、切タイマ動作終了後の空気調和機の運転において、設定温度を切タイマ動作前より圧縮機が停止し易い方向に外気温度に応じてシフトするようにしたものである。
【００１９】
これによって、空調負荷に応じて空調能力を低めに抑えることで冷やしすぎ、暖めすぎに伴うエネルギーの無駄使いや利用者の健康阻害を防止できる。
【００２０】
第７の発明は、切タイマ動作終了後の空気調和機の運転において、室内ファンの風量を切タイマ動作前より外気温度に応じて小さくするようにしたものである。
【００２１】
これによって、空調負荷に応じた風量にて運転するため、利用者が睡眠中に低負荷時において強風に当たることを防止できる。
【００２２】
第８の発明は、切タイマ動作終了後の空気調和機の運転において、切タイマ動作終了後室温が設定温度に達した場合、第１の所定時間空気調和機を運転する動作回数を外気温度に応じて行うようにしたものである。
【００２３】
これによって、空調負荷に応じて空気調和機の運転を行うため快適な睡眠を提供できる。
【００２４】
第９の発明は、切タイマ動作終了後の空気調和機の運転において、切タイマ動作終了後室温が設定温度に達した場合、第１の所定時間切タイマ動作前の能力で運転を行い第２の所定時間は能力を絞った運転を行うようにしたものである。
【００２５】
これによって、利用者に快適な睡眠を提供できる。
【００２６】
第１０の発明は、切タイマ動作終了後の空気調和機の運転において、切タイマ動作終了後人体付近の温度が設定温度に達した場合、第３の所定時間空気調和機を運転するようにしたものである。
【００２７】
これによって、切りタイマ終了後人体付近の温度が上昇し設定温度に達した場合は、空気調和機を所定時間運転させるため利用者が不快感なく就寝できる。
【００２８】
第１１の発明は、切タイマ動作終了後人体付近の温度が設定温度に達した場合、第３の所定時間空気調和機を運転し、その後空気調和機が停止した後も人体付近の温度が設定温度に達した場合は再度空気調和機を運転するという動作を第２の所定回数繰り返すようにしたものである。
【００２９】
これによって、切りタイマ終了後人体付近の温度が上昇し設定温度に達した場合、空気調和機を所定時間，所定回運転させるためより快適な睡眠を提供できる。
【００３０】
第１２の発明は、切タイマ動作終了後の空気調和機の運転において、切タイマ動作終了後人体付近の温度が設定温度に達した場合、第３の所定時間空気調和機を運転する動作回数を外気温度に応じて行うようにしたものである。
【００３１】
これによって、空調負荷に応じて空気調和機の運転を行うため快適な睡眠を提供できる。
【００３２】
第１３の発明は、切タイマ動作終了後の空気調和機の運転において、切タイマ動作終了後人体付近の温度が設定温度に達した場合、第３の所定時間切タイマ動作前の能力で運転を行い第４の所定時間は能力を絞った運転を行うようにしたものである。
【００３３】
これによって、利用者に快適な睡眠を提供できる。
【００３４】
以下、本発明の実施の形態について、図面を参照しながら説明する。なお、この実施の形態によって本発明が限定されるものではない。
【００３５】
（実施の形態１）
図１は、本発明の実施の形態１における空気調和機の制御ブロック図を示すものである。
【００３６】
図１において、切タイマ手段はタイマ設定値と運転時間の比較を常に行いタイマ設定時間に達した場合制御手段に空気調和機の停止信号を送信する。この停止信号の受信後に、人体付近温検出手段、外気温度検出手段、吸込温度検出手段の各検出値、設定温度手段の設定値に従って空気調和機の運転あるいは停止を決定する。
【００３７】
以上のように構成された空気調和機について、以下その動作、作用を説明する。
図２は本発明の実施の形態１における空気調和機の動作を示すフローチャートで、ステップ１、ステップ２にて切タイマ時間の判定を実施する。切タイマ時間に達した場合はステップ３でエアコンを停止させる。ステップ４、ステップ５では人体付近温度、外気温度、吸い込み温度、設定温度の状況に従ってエアコンを運転継続、あるいは停止させる。
【００３８】
以上のように、本実施の形態においては切タイマ動作終了後の空気調和機の運転モード
を人体付近の環境状態、屋外温度、屋内温度の状況により、空気調和機を運転もしくは停止させることにより、空調負荷が大きいときには追加で運転をおこない、利用者が不快感なく就寝できる。また空調負荷が小さいときには余分な運転をせず無駄なエネルギーの消費を防止可能となる。
【００３９】
（実施の形態２）
図３は、本発明の実施の形態２における空気調和機の動作を示すフローチャートである。
【００４０】
ステップ１〜ステップ３は実施の形態１と同じのため説明を省略する。ステップ６において実施フラグの確認を行う、このフラグは所定の処理を実施したときにセットするフラグで通常はクリアされている。ステップ７では室温と設定温度の比較を行い室温が設定温度に達した場合ステップ８で空気調和機を運転させる。ステップ９では空気調和機を運転させる時間の判定を行い所定時間第１の経過したらステップ１０にて空気調和機を停止させる。
ステップ１１では一連の処理を実施したとして実施フラグをセットしておく。
【００４１】
以上のように、本実施の形態においては切タイマ動作終了後の空気調和機の運転モードを切りタイマ動作終了後、室温が設定温度に達した場合は所定時間空気調和機を運転させることにより、切りタイマ終了後室温が上昇し設定温度に達した場合は、空気調和機を一定時間運転させるため利用者が不快感なく就寝できる。
【００４２】
（実施の形態３）
図４は、本発明の実施の形態３における空気調和機の動作を示すフローチャートである。
【００４３】
ステップ１〜ステップ３は実施の形態１と同じのため説明を省略する。ステップ４において実施カウンタの確認を行う、このカウンタは所定の処理を実施したときにカウントするカウンタで通常はクリアされている。ステップ５〜ステップ８は実施の形態２と同じのため説明を省略する。ステップ９では一連の処理を実施したとして実施カウンタのカウントをアップしておく。
【００４４】
以上のように、本実施の形態においては切タイマ動作終了後の空気調和機の運転モードを、切りタイマ動作終了後室温が設定温度に達した場合は、第１の所定時間空気調和機を運転させるという動作を所定回繰り返すことにより、切りタイマ終了後室温が上昇し設定温度に達した場合は、空気調和機を所定時間，所定回数運転させるためより快適な睡眠を提供できる。
【００４５】
（実施の形態４）
図５は、本発明の実施の形態４における空気調和機の動作を示すフローチャートである。
【００４６】
図３のフローチャートと同様の箇所は説明を省略する。ステップ１４において設定温度を圧縮機が停止し易い方向にシフトさせている。
【００４７】
以上のように、本実施の形態においては切タイマ動作終了後の空気調和機の運転モードを、切タイマ動作前より圧縮機が停止し易い方向に設定温度を所定値シフトするようにしたことで、空調能力を低めに抑えることで冷やしすぎ、暖めすぎに伴うエネルギーの無駄使いや利用者の健康阻害を防止できる。
【００４８】
（実施の形態５）
図６は、本発明の実施の形態５における空気調和機の動作を示すフローチャートである。図３のフローチャートと同様の箇所は説明を省略する。ステップ１５において室内ファンをＬｏ設定にしている。
【００４９】
以上のように、本実施の形態においては切タイマ動作終了後の空気調和機の運転モードを、切タイマ動作前より室内ファンの風量を小さくするようにしたことで、利用者が睡眠時において強風に当たることを防止できる。
【００５０】
（実施の形態６）
図７は、本発明の実施の形態６における空気調和機の動作を示すフローチャートである。図３のフローチャートと同様の箇所は説明を省略する。ステップ１６において外気温度が高いか低いかの判定を行う。外気温度が高い場合はステップ１７において設定温度シフトを小さくし、低い場合はステップ１８で設定温度シフトを大きくしている。これは冷房運転時の動作を示したもので、暖房運転時は外気温度が高い場合は設定温度シフトを大きくし、低い場合は設定温度シフトを小さくする。
【００５１】
以上のように、本実施の形態においては切タイマ動作終了後の空気調和機の運転モードを、設定温度を切タイマ動作前より圧縮機が停止し易い方向に外気温度に応じてシフトするようにしたことで、空調負荷に応じて空調能力を低めに抑えることで冷やしすぎ、暖めすぎに伴うエネルギーの無駄使いや利用者の健康阻害を防止できる。
【００５２】
（実施の形態７）
図８は、本発明の実施の形態７における空気調和機の動作を示すフローチャートである。図３のフローチャートと同様の箇所は説明を省略する。ステップ１６において外気温度が高いか低いかの判定を行う。外気温度が高い場合はステップ１９において室内ファン速をＭｅとし、低い場合はステップ２０で室内ファン速をＬｏとしている。
【００５３】
以上のように、本実施の形態においては切タイマ動作終了後の空気調和機の運転モードを、室内ファンの風量を切タイマ動作前より外気温度に応じて小さくするようにしたことで、空調負荷に応じた風量にて運転するため、利用者が睡眠中に低負荷時において強風に当たることを防止できる。
【００５４】
（実施の形態８）
図９は、本発明の実施の形態８における空気調和機の動作を示すフローチャートである。図３のフローチャートと同様の箇所は説明を省略する。ステップ１６において外気温度が高い場合はステップ２１で実施カウンタの比較値を３とし、外気温度が低い場合はステップ２２で実施カウンタの比較値を１としている。
【００５５】
以上のように、本実施の形態においては切タイマ動作終了後の空気調和機の運転モードを、切タイマ動作終了後室温が設定温度に達した場合は所定時間空気調和機を運転する動作回数を外気温度に応じて行うようにするため、空調負荷に応じた空気調和機の運転が可能となり快適な睡眠を提供できる。
【００５６】
（実施の形態９）
図１０は、本発明の実施の形態９における空気調和機の動作を示すフローチャートである。図３のフローチャートと同様の箇所は説明を省略する。ステップ２３においてエアコン運転してからの時間を判定し、所定時間１未満の場合はステップ２４で能力を大（切タイマ動作前と同じ能力）にて運転し、第１の所定時間経過後はステップ２５で第２の所定時間の間能力小（切タイマ動作前より小さい能力）で運転するようにしている。
【００５７】
以上のように、本実施の形態においては切タイマ動作終了後の空気調和機の運転モードを、切タイマ動作終了後室温が設定温度に達した場合は第１の所定時間は切タイマ動作前の能力で運転を行い、第２の所定時間は能力を絞った運転を行うようにするため、利用者に快適な睡眠を提供できる。
【００５８】
（実施の形態１０）
図１１は、本発明の実施の形態１０における空気調和機の動作を示すフローチャートである。図３のフローチャートと同様の箇所は説明を省略する。ステップ２７において人体付近の温度が設定温度に達した場合はステップ８で空気調和機を運転するようにしている。
【００５９】
以上のように、本実施の形態においては切タイマ動作終了後の空気調和機の運転モードを、人体付近の温度が設定温度に達した場合は第３の所定時間空気調和機を運転するようにするため、利用者が不快感なく就寝できる。
【００６０】
（実施の形態１１）
図１２は、本発明の実施の形態１１における空気調和気の動作を示すフローチャートである。図４のフローチャートと同様の箇所は説明を省略する。ステップ２７において人体付近の温度が設定温度に達した場合はステップ８で空気調和機を運転するようにしている。
【００６１】
以上のように、本実施の形態においては切タイマ動作終了後の空気調和機の運転モードを、人体付近の温度が設定温度に達した場合は第３の所定時間空気調和機を運転し、その後空気調和機が停止した後も人体付近の温度が設定温度に達した場合は再度空気調和機を運転するという動作を第２の所定回数繰り返すようにしているため、より快適な睡眠を提供できる。
【００６２】
（実施の形態１２）
図１３は、本発明の実施の形態１２における空気調和機の動作を示すフローチャートである。図９のフローチャートと同様の箇所は説明を省略する。ステップ２７において人体付近の温度が設定温度に達した場合はステップ８で空気調和機を運転するようにしている。
【００６３】
以上のように、本実施の形態においては切タイマ動作終了後の空気調和機の運転モードを、切タイマ動作終了後人体付近の温度が設定温度に達した場合、第３の所定時間空気調和機を運転する動作回数を外気温度に応じて変化させるようにしているため、空調負荷に応じた空気調和機の運転が可能となるため快適な睡眠を提供できる。
【００６４】
（実施の形態１３）
図１４は、本発明の実施の形態１３における空気調和機の動作を示すフローチャートである。図１０のフローチャートと同様の箇所は説明を省略する。ステップ２７において人体付近の温度が設定温度に達した場合はステップ８で空気調和機を運転するようにしている。
【００６５】
以上のように、本実施の形態においては切タイマ動作終了後の空気調和機の運転モードを、切タイマ動作終了後人体付近の温度が設定温度に達した場合、第３の所定時間切タイマ動作前の能力で運転を行い、第４の所定時間は能力を絞った運転を行うようにしているので、利用者に快適な睡眠を提供できる。
【産業上の利用可能性】
【００６６】
以上のように、本発明にかかる空気調和機は、空調負荷が大きいときには追加で運転をおこない、利用者が不快感なく就寝できる。また空調負荷が小さいときには必要最小限の運転を行うことで利用者に不快感を与えることなく、余分な運転をせず無駄なエネルギーの消費を防止できるので、切りタイマ機能を有する空気調和機の快適制御の用途に有用である。
【図面の簡単な説明】
【００６７】
【図１】本発明の実施の形態１における空気調和機の制御ブロック図
【図２】本発明の実施の形態１における空気調和機の動作を示すフローチャート
【図３】本発明の実施の形態２における空気調和機の動作を示すフローチャート
【図４】本発明の実施の形態３における空気調和機の動作を示すフローチャート
【図５】本発明の実施の形態４における空気調和機の動作を示すフローチャート
【図６】本発明の実施の形態５における空気調和機の動作を示すフローチャート
【図７】本発明の実施の形態６における空気調和機の動作を示すフローチャート
【図８】本発明の実施の形態７における空気調和機の動作を示すフローチャート
【図９】本発明の実施の形態８における空気調和機の動作を示すフローチャート
【図１０】本発明の実施の形態９における空気調和機の動作を示すフローチャート
【図１１】本発明の実施の形態１０における空気調和機の動作を示すフローチャート
【図１２】本発明の実施の形態１１における空気調和機の動作を示すフローチャート
【図１３】本発明の実施の形態１２における空気調和機の動作を示すフローチャート
【図１４】本発明の実施の形態１３における空気調和機の動作を示すフローチャート
【図１】
2005226856.tif 000003
【図２】
2005226856.tif 000004
【図３】
2005226856.tif 000005
【図４】
2005226856.tif 000006
【図５】
2005226856.tif 000007
【図６】
2005226856.tif 000008
【図７】
2005226856.tif 000009
【図８】
2005226856.tif 000010
【図９】
2005226856.tif 000011
【図１０】
2005226856.tif 000012
【図１１】
2005226856.tif 000013
【図１２】
2005226856.tif 000014
【図１３】
2005226856.tif 000015
【図１４】
2005226856.tif 000016